(57)【要約】  【課題】  本発明は、浴槽からの排水がなく、洗い場からの排水しかない場合でも、容易にヘアキャッチャー内の毛髪等をまとめて、毛髪等による閉塞を緩和し、清掃性を高めることができるヘアキャッチャー及びこのヘアキャッチャーを備える浴室ユニットを提供することを目的とする。  【解決手段】  開孔を有する底面と、この底面より上方へと立設される周壁とを備え、上記周壁が垂直方向に下から壁部領域と開孔領域とを有するヘアキャッチャー。  【選択図】  図１
2009150111.tif 000002
【特許請求の範囲】
【請求項１】
開孔を有する底面と、この底面より上方へと立設される周壁とを備え、上記周壁が垂直方向に下から壁部領域と開孔領域とを有するヘアキャッチャー。
【請求項２】
請求項１において、壁部領域と開孔領域との境界線が水平面を形成するヘアキャッチャー。
【請求項３】
請求項１又は２において、底面開孔からの排水速度が、周壁の開孔領域からの排水速度よりも小さいヘアキャッチャー。
【請求項４】
請求項１乃至３の何れかにおいて、周壁が斜めであり、且つ外周へと広がる方向に立設されるヘアキャッチャー。
【請求項５】
請求項１乃至４の何れかにおいて、底面開孔が、底面外周より所定幅をもたせて内側に複数設けられているヘアキャッチャー。
【請求項６】
請求項１乃至５の何れかにおいて、壁部領域の高さが、１０ｍｍ以上であるヘアキャッチャー。
【請求項７】
請求項１乃至６の何れかに記載されるヘアキャッチャーを備えた浴室ユニット。
【発明の詳細な説明】
【技術分野】
【０００１】
本発明は、浴室の排水口等に設置され、毛髪等の異物流出を防止するヘアキャッチャー、及び、このヘアキャッチャーを備えた浴室ユニットに関する。
【背景技術】
【０００２】
従来、浴室の洗い場から流れ出る毛髪等の異物は、洗い場に設置される目皿の下方に設けられているヘアキャッチャーにより捕集されている。この異物は、放置すると、ここに人垢、石鹸カス、リンス等が付着してヌメリ発生の原因となったり、排水性能の低下を招いたりするため、使用者が不快と感じながらも、こまめに手で取り除いていた。
【０００３】
この不快な作業を緩和する手段の一例として、図３に示すような排水トラップが提案されている（特許文献１参照）。この排水トラップ１は、浴槽水がトラップ内に排水されたときに、この水流を利用して排水トラップ１内に渦流を形成させ、この渦流によりヘアキャッチャー４に付着した毛髪等を剥して中央部分にまとめるものである。これにより、ヘアキャッチャーの中央部分以外には毛髪が付着していない状態が保たれるので、通水が良好となり、毛髪除去作業の頻度を軽減することができる。
【特許文献１】特許３８８６０５５号
【発明の開示】
【発明が解決しようとする課題】
【０００４】
しかしながら、特許文献１に示される排水トラップは、浴槽排水を流さないとヘアキャッチャー内の毛髪をまとめることできないため、シャワーのみで入浴する場合は、上記効果が得られないという問題があった。
また、特許文献１に示されるものは、トラップ本体が特殊な構造であるため、既に設置されている浴室に対して、このような機能を付加することができないという問題もある。
【０００５】
本発明は、上記課題を鑑みてなされたものであり、浴槽からの排水がなく、洗い場からの排水しかない場合でも、容易にヘアキャッチャー内の毛髪等をまとめて、毛髪等による閉塞を緩和し、清掃性を高めることができるヘアキャッチャー及びこのヘアキャッチャーを備える浴室ユニットを提供することを目的とする。
【課題を解決するための手段】
【０００６】
上記課題を達成するため、本発明では次の構成をとった。
（１）開孔を有する底面と、この底面より上方へと立設される周壁とを備え、上記周壁が垂直方向に下から壁部領域と開孔領域とを有するヘアキャッチャー。
（２）項（１）において、壁部領域と開孔領域との境界線が水平面を形成するヘアキャッチャー。
（３）項（１）又は（２）において、底面開孔からの排水速度が、周壁の開孔領域からの排水速度よりも小さいヘアキャッチャー。
（４）項（１）乃至（３）の何れかにおいて、周壁が斜めであり、且つ外周へと広がる方向に立設されるヘアキャッチャー。
（５）項（１）乃至（４）の何れかにおいて、底面開孔が、底面外周より所定幅をもたせて内側に複数設けられているヘアキャッチャー。
（６）項（１）乃至（５）の何れかにおいて、壁部領域の高さが、１０ｍｍ以上であるヘアキャッチャー。
（７）項（１）乃至（６）の何れかに記載されるヘアキャッチャーを備えた浴室ユニット。
【発明の効果】
【０００７】
本発明のヘアキャッチャーによれば、開孔を有する底面とその周壁に下から壁部領域（開孔のない領域）と開孔領域とを設けることにより、洗い場からの排水時にヘアキャッチャー内に水溜りを形成させるとともに毛髪等を浮かせ、更に旋回流（渦流）を発生させやすくして、ヘアキャッチャーに流入する毛髪等を中央部にまとめやすくすることができる。この結果、浴槽排水の有無に関係なく、毛髪等によるヘアキャッチャーの閉塞を緩和できるので、主にシャワーで入浴する家庭においても、ヘアキャッチャーの清掃頻度を低減でき、清掃性を高めることができる。
壁部領域と開孔領域との境界線を水平面に形成する場合は、ヘアキャッチャー内における流れに偏りが生じにくくなり、より安定して旋回流が形成されやすくなる。
底面開孔からの排水速度が周壁の開孔領域からの排水速度よりも小さい場合は、洗い場からの排水量が少ない時でもヘアキャッチャー内に水溜りが形成しやすくなるので、ヘアキャッチャー内の毛髪等がまとまりやすくなる。
周壁が斜めであり、且つ外周へと広がる方向に立設されている場合は、ヘアキャッチャー内に洗い場排水が流入した時に、ヘアキャッチャー内に形成される水溜りに旋回流が発生しやすくなり、より効果的に毛髪等をまとめることができる。
底面の開孔が、底面の外周より所定幅をもたせて内側に複数設けられている場合は、ヘアキャッチャーの壁面に沿って流入した洗い場排水がそのまま真っ直ぐに開孔を通過しないので、水溜りが形成しやすくなるとともに旋回流が発生しやすくなる。結果、洗い場からの排水量が少ない場合でもヘアキャッチャー内の毛髪等を中央部にまとめやすくすることができる。
壁部領域の高さが１０ｍｍ以上ある場合は、洗い場からの排水時に、ヘアキャッチャー内の水位を１０ｍｍ以上確保しやすくなるので、ヘアキャッチャー内の毛髪等を浮かせて中央部にまとめやすくなる。
また、本発明は、ヘアキャッチャーの形状を変更するだけで上記効果を有することができるので、既設の浴室の排水口の清掃性改善等にも役立てることができる。
【発明を実施するための最良の形態】
【０００８】
先ず、図１を参照して、本発明の実施例であるヘアキャッチャーについて説明する。
図１は、ヘアキャッチャー４の一実施例であり、（ａ）が平面図を示し、（ｂ）が側面図を示す。ヘアキャッチャー４は、開孔を有する底面７と、この底面７より上方に立設される周壁２０とを備え、上記周壁２０は垂直方向に下から壁部領域２０ａ（開孔なし）と、開孔領域２０ｂとを有している。
また、ヘアキャッチャー４の縁部８の上面には、整流板９と、その一画に取手１０が設けてある。
【０００９】
ヘアキャッチャー４の材質は、特に限定されるものではないが、合成樹脂製や金属製のものを用いることができる。この基材に抗菌剤を混入したり、基材表面に抗菌剤をコーティングしたりしてもよい。また、撥水機能もしくは親水機能を有するコーティングを施すこともできる。
【００１０】
ヘアキャッチャー４は、開孔を有する底面７がヘアキャッチャー４の縁部８より下方に凹むように形成している。上記以外の形状については、特に限定されるものではないが、平面視で円状であることが好ましい。
【００１１】
ヘアキャッチャー４の底面開孔部７ａの形状は、毛髪等の固形物を捕捉できるものであれば良く、例えば、円形状、略円形状、楕円状、多角形状、略多角形状の孔を多数貫通形成させたものでもよいし、櫛状、メッシュ状のものを用いることもできる。また、底面７の中心部から放射状に格子を設ける形状にすることもできる。
【００１２】
底面開孔部７ａの孔径（目幅）は、１〜１２ｍｍが好ましく、更に好ましくは、４〜８ｍｍ程度である。開孔部７ａの孔径（目幅）が上記範囲より小さいと、徐々に固形物等により開孔部７ａが目詰りしやすくなる。逆に、開孔部７ａの孔径（目幅）が上記範囲より大きいと、徐々に固形物が捕捉されずに通過してしまい、後段の配管等が閉塞するリスクが高まるためである。
【００１３】
底面開孔部７ａの開口面積は、周壁２０の開孔領域２０ｂの開口面積よりも小さいことが好ましい。このようにすると、底面開孔部７ａからの排水速度は、周壁２０の開孔領域２０ｂからの排水速度よりも小さくなる。結果、ヘアキャッチャー４内に排水が流入した場合に、ヘアキャッチャー４内に水溜りが出来やすくなる。水溜りが形成されると、毛髪が浮きやすくなるとともに、ヘアキャッチャー内に流入する排水の勢いにより、旋回流（渦流）が発生しやすくなるので、ヘアキャッチャー４内の毛髪等を中央部にまとめやすくすることができる。
【００１４】
また、底面開孔部７ａは底面７の外周より所定幅（Ｌ）をもたせて内側に設けることが好ましい。この所定幅（Ｌ）の長さは、特に限定されるものではないが、例えば、底面の直径が６０ｍｍの場合には、２〜２５ｍｍ程度が好ましく、更に好ましくは、５〜１５ｍｍ程度である。所定幅（Ｌ）の長さが、２ｍｍよりも小さいと周壁２０に沿って流入した排水がそのまま底面７を通過しやすくなり、水溜りが形成されにくくなる。また、所定幅（Ｌ）の長さが２５ｍｍよりも大きいと、逆に底面開孔部７ａの領域が小さくなり過ぎて、底面開孔部７ａからの排水が滞りやすくなったり、閉塞しやすくなる。
【００１５】
周壁２０は、底面７から縁部８に向かって立設されており、下から壁部領域２０ａと開孔領域２０ｂとを設けている。周壁２０の形状は特に限定されるものではないが、上方に向かって外周方向に広がる形状であることが好ましい。また、壁部領域２０ａと開孔領域２０ｂとの境界線２１が略水平面を形成することが好ましい。
【００１６】
壁部領域２０ａの形状は、特に限定されるものではないが、表面の形状が滑らかで毛髪等が引っ掛かりにくい形状であることが好ましい。また、壁部領域２０ａの下部と底面外周部７ｂとの接続部は、丸みを有して接続されていることが好ましい。このようにすると、ヘアキャッチャー４に排水が流入したときに、ヘアキャッチャー４内の流れがスムーズになって旋回流が発生しやすくなる。また、接続部に汚れが付着した場合の清掃も容易になる。
【００１７】
壁部領域２０ａの高さ（Ｈ）は、概ね１０ｍｍ以上、好ましくは、概ね１５ｍｍ以上、更に好ましくは概ね２０ｍｍ以上である。壁部領域２０ａの高さ（Ｈ）を概ね１０ｍｍ以上にすると、排水の流入時にヘアキャッチャー内に１０ｍｍ以上の水溜りを形成しやすくなる。その結果、ヘアキャッチャー内の毛髪等を浮かせやすくすることができ、ヘアキャッチャー内に発生する旋回流等の流れにより、毛髪等をヘアキャッチャーの中央部にまとめやすくなる。
【００１８】
開孔領域２０ｂは、壁部領域２０ａの上端（境界線２１）から縁部８の下端（場合によっては縁部８の一部）にかけて設けている。この部位に開孔領域２０ｂを設けると、底面開孔部７ａに毛髪等が堆積して排水量が低下した場合でも、この開孔領域２０ｂからの通水は確保されるので、所定の排水性能を確保しやすくなる。
開孔領域２０ｂにおける開孔部の形状は、毛髪等の固形物を捕捉できるものであれば良く、例えば、円形状、略円形状、楕円状、多角形状、略多角形状の孔を多数貫通形成させたものでもよいし、櫛状、メッシュ状のものを用いることもできる。また、開孔部の孔径（目幅）は、１〜１２ｍｍが好ましく、更に好ましくは、４〜８ｍｍ程度である。
【００１９】
図１では、ヘアキャッチャー４の縁部８の上面に整流板９を設けている。また、この整流板９の一画にはヘアキャッチャー４を着脱しやすいように取手１０を設けている。
側面から見た整流板９の形状は特に限定されるものではなく、略半円状、略三角形状、略四角形状等、種々の形状を用いることができる。また、本実施例では、整流板９をヘアキャッチャー４の円周に沿うように設けているが、整流板９の一部を偏心させたり、凹凸部を設けたり、整流板９の端部を内側に折り曲げるような形状にしても良い。
【００２０】
整流板９の長さは、ヘアキャッチャー４の周長さの約１／８〜１／２程度、更に好ましくは、約１／４〜１／３程度が好ましい。整流板９の長さがヘアキャッチャー４の周長さの約１／８よりも短くなると、毛髪が整流板９に絡みやすくなる。また、整流板９の長さがヘアキャッチャー４の周長さの約１／２よりも長くなると、洗い場３１排水の流入する箇所が制限されてしまうのであまり好ましくない。
整流板９の高さは、特に限定されることはないが、概ね５〜５０ｍｍ、更に好ましくは概ね１５〜３０ｍｍ程度であることが好ましく、その高さは目皿の位置よりも低い高さであることが好ましい。
また、整流板９と縁部８とが接続するコーナー部には丸み形状を設けることが好ましい。この場所に丸み形状を設けると、整流板９の背面の流れがスムーズになり、洗い場３１から流れてくる毛髪の整流板９への引っ掛かりをより低減することができる。また、この部分の清掃作業も容易になる。
【００２１】
整流板９の一画には、取手１０を設けている。取手１０の形状は特に限定されることなく、種々の形状を用いることができる。図１では、整流板９の上部から上方に延設するように設けているが、ヘアキャッチャー４の外側に向かって突設するように設けてもよいし、内側に向かって突設することもできる。また、ヘアキャッチャー４の円周方向に向かって突設させてもよい。
取手１０の位置は特に限定されることはなく、整流板９の中央付近に設けてもよいし、整流板９の端部に設けてもよい。また、整流板９の内側に整流板９の高さよりも高くなるように立設してもよい。
また、整流板９の一画に人の指が入る程度の穴を開口して、取手１０の代わりとすることもできる。場合によっては取手１０を省略したり、整流板９自体を省略することもできる。
【００２２】
ヘアキャッチャーを浴室ユニットに設置する場合は、浴室ユニットの防水パンに設けた排水枡に配置する。設置の向きは、特に限定されるものではないが、防水パンに設けた排水枡への下り傾斜に合わせ、整流板を近づけるように配置させると、毛髪などが絡みにくく好ましい。
【００２３】
（試験例１）
本発明のヘアキャッチャーの一例を用いて、シャワー流水試験を実施した。本試験では、先ず、図２に示すように浴槽３０、洗い場３１及び排水トラップ１を配置し、排水枡５内に図１に示すヘアキャッチャーを設置した。次に、洗い場３１に毛髪（約３０ｃｍ）２００本を撒いて、シャワーで流水（１０Ｌ／分）し、流水中及び流水終了時のヘアキャッチャー内の状況を確認した。また、比較対照として、周壁２０に壁部領域２０ａがないヘアキャッチャー４についても同様の試験を実施した。結果を表１に示す。
表１から、周壁２０に壁部領域２０ａを設けた場合は、壁部領域２０ａがない場合と比較して、ヘアキャッチャー４内に水溜りを形成できるとともに旋回流を発生させやすくなり、結果、毛髪等を中央部にまとめやすくすることができることを確認した。
また、壁部高さ（壁部領域高さ）が高いほど、強い旋回流を生じさせることを確認できた。
【００２４】
【表１】
2009150111.tif 000003
【図面の簡単な説明】
【００２５】
【図１】本発明の実施例であるヘアキャッチャーの概略図であり、（ａ）が平面図を示し、（ｂ）が側面図を示す。
【図２】本発明の実施例であるヘアキャッチャーを設置した浴室の概略断面図である。
【図３】従来例の排水トラップの一例を示す概略断面である。
【符号の説明】
【００２６】
１…排水トラップ、４…ヘアキャッチャー、５…排水枡、７…底面、７ａ…底面開孔部、７ｂ…底面外周部、８…縁部、９…整流板、１０…取手、２０…周壁、２０ａ…壁部領域、２０ｂ…開孔領域、２１…境界線、３０…浴槽、３１…洗い場、Ｌ…所定幅、Ｈ…壁部領域の高さ。
【図１】
2009150111.tif 000004
【図２】
2009150111.tif 000005
【図３】
2009150111.tif 000006
【手続補正書】
【提出日】平成19年12月25日(2007.12.25)
【手続補正１】
【補正対象書類名】明細書
【補正対象項目名】００２４
【補正方法】変更
【補正の内容】
【００２４】
【表１】
2009150111.tif 000007